(57)【要約】【課題】  ＨＤＤドライブ自身の破損を回避することができる画像形成装置を提供する。【解決手段】  装置本体の主電源スイッチ１９と、ＨＤＤ１４への供給電源をシャットダウンさせる際に押下する専用のシャットダウンスイッチ１６と、シャットダウンスイッチ１６が押下されたことにより出力されるシャットダウン検出信号とＨＤＤの供給電源状態を検出するＨＤＤ電源検出手段１５と、ＨＤＤ電源検出手段１５により出力されるＨＤＤ電源遮断検知信号とシャットダウンスイッチが押下されたことにより出力されるシャットダウン検出信号を検出し、ＨＤＤ電源遮断検知信号とシャットダウン検出信号に基づいて装置本体の主電源の遮断制御を行う主電源遮断制御手段１７と、主電源遮断制御手段１７により出力される主電源制御信号を検出し主電源検出信号に基づいて主電源スイッチ１９のロック／ロック解除の制御を行う主電源スイッチロック／ロック解除制御手段１８と、システム全体を制御するシステム制御手段１２とを備えた。【選択図】  図１
2004276588.tif 000002
【特許請求の範囲】
【請求項１】
装置本体の主電源スイッチと、ＨＤＤへの供給電源をシャットダウンさせる際に押下する専用のシャットダウンスイッチと、シャットダウンスイッチが押下されたことにより出力されるシャットダウン検出信号とＨＤＤの供給電源状態を検出するＨＤＤ電源検出手段と、ＨＤＤ電源検出手段により出力されるＨＤＤ電源遮断検知信号とシャットダウンスイッチが押下されたことにより出力されるシャットダウン検出信号を検出し、ＨＤＤ電源遮断検知信号とシャットダウン検出信号に基づいて装置本体の主電源の遮断制御を行う主電源遮断制御手段と、主電源遮断制御手段により出力される主電源制御信号を検出し主電源検出信号に基づいて主電源スイッチのロック／ロック解除の制御を行う主電源スイッチロック／ロック解除制御手段と、システム全体を制御するシステム制御手段と、を備えたことを特徴とする画像形成装置。
【請求項２】
シャットダウンスイッチが押下されたことをシャットダウン検出信号に基づきシステム制御手段が検知すると、システム制御手段はＨＤＤに関するステータス状態の確認を行い、ＨＤＤの状態がドライブレディ状態である場合もしくはディスクアクセス処理完了通知を検知した場合、ＨＤＤへの供給電源を遮断し、ＨＤＤが電源遮断されたことを示すＨＤＤ電源遮断検知信号が主電源遮断制御手段に出力されることを特徴とする請求項１記載の画像形成装置。
【請求項３】
シャットダウンスイッチが押下されない場合は、システム制御手段はシャットダウン検出信号レベルに基づき、ＨＤＤのステータス状態確認やＨＤＤ供給電源の遮断制御を停止することを特徴とする請求項１、又は２記載の画像形成装置。
【請求項４】
主電源遮断制御手段が、シャットダウンスイッチが押下されたことにより出力されるシャットダウン検出信号とＨＤＤ電源が遮断されＨＤＤ電源検出手段により出力されるＨＤＤ電源遮断検知信号をＡＮＤ条件で検出した場合、主電源遮断制御手段により出力される主電源制御信号により、主電源スイッチロック／アンロック制御手段に対して主電源スイッチのロック解除を要求し、主電源制御手段による制御により主電源スイッチの遮断を可能としたことを特徴とする請求項１記載の画像形成装置。
【請求項５】
主電源遮断制御手段が、シャットダウンスイッチが押下されたことにより出力されるシャットダウン検出信号とＨＤＤ電源が遮断されＨＤＤ電源検出手段により出力されるＨＤＤ電源遮断検知信号をＡＮＤ条件で検出しない場合は、主電源遮断制御手段から主電源制御信号は出力されず、主電源スイッチロック／ロック解除制御手段に対して主電源スイッチのロックを要求し、主電源制御手段による制御により主電源スイッチの遮断を禁止することを特徴とする請求項１、又は４記載の画像形成装置。
【請求項６】
システム制御手段が複数台のＨＤＤが搭載されている事を検出した場合でしかもシャットダウンＳＷが押下されたことを検知した場合、システム制御手段は、各々のＨＤＤの状態を検出し、少なくとも１つのＨＤＤにおいてドライブレディ状態を検出後、該当するＨＤＤに対して順次、該当するＨＤＤへの供給電源を遮断させ、ＨＤＤ電源検出手段が各々のＨＤＤの電源遮断をＡＮＤ条件で電源遮断検出した場合に、全ＨＤＤが電源遮断されたことを示すＨＤＤ電源遮断検知信号を主電源遮断制御手段に出力することを特徴とする請求項１に記載の画像形成装置。
【請求項７】
システム制御手段が複数台のＨＤＤが搭載されていることを検出した場合でしかもシャットダウンＳＷが押下されたことを検知した場合、システム制御手段は、各々のＨＤＤの状態を検出し、少なくとも１つのＨＤＤがディスクアクセス中の場合、ディスクアクセス処理完了通知後、該当するＨＤＤに対して順次、該当するＨＤＤへの供給電源を遮断させ、ＨＤＤ電源検出手段が各々のＨＤＤの電源遮断をＡＮＤ条件で電源遮断検出した場合に、全ＨＤＤが電源遮断されたことを示すＨＤＤ電源遮断検知信号を主電源遮断制御手段に出力することを特徴とする請求項１に記載の画像形成装置。
【請求項８】
システム制御手段が複数台のＨＤＤが搭載されていることを検出した場合でしかもシャットダウンＳＷが押下されない場合や、シャットダウンＳＷが押下されたことをシステム制御手段が検知しても、複数のＨＤＤのうち少なくとも１台のＨＤＤの状態が、ドライブレディ状態でない場合、もしくはディスクアクセス中の場合システム制御手段が該当するＨＤＤからのディスクアクセス処理完了通知を検出するまで、システム制御手段は少なくとも１つの該当するＨＤＤへの供給電源を遮断させず電源供給を行い、ＨＤＤ電源検出手段は少なくとも１つの該当するＨＤＤの電源供給状態を検出し、ＨＤＤ電源遮断検知信号は主電源遮断制御手段に出力されないことを特徴とする請求項６または７に記載の画像形成装置。
【発明の詳細な説明】
【技術分野】
【０００１】
本発明は、レーザープリンタ、複写機、ＦＡＸ等のＨＤＤを搭載する画像形成装置に関する。
【背景技術】
【０００２】
ハードディスクドライブ（ＨＤＤ）を搭載する画像形成装置に関連して、例えば、特許文献１には、消費電流を抑えるために動作モード設定部を設け、Ｉ／Ｆコントローラの駆動周波数やＮＩＣボード、ＨＤＤの動作タイミングを制御し、Ｉ／Ｆコントローラの回路電流を制限し、オプション機器の駆動電流を制限して消費電力の低減を図る技術が開示されている。
特許文献２では、ＨＤＤの交換時複数のコントローラの電源制御信号のＡＮＤをとったディスクアレイが開示される。
また、特許文献３では、ハードディスクの切り替えにつき信号線の切り替えをスイッチで行うことが開示されている。
特許文献４では、タイミングテーブルに従って電源停止を行うことが開示される。
特許文献５では、画像メモリのリード／ライトエラーによる動作停止が開示されている。
【特許文献１】特開２００２−１２７５５４公報
【特許文献２】特開２００１−１０１７６３公報
【特許文献３】特開２００２−１６３０５０公報
【特許文献４】特開２００２−３５４７９３公報
【特許文献５】特許第３０１７００２号公報
【発明の開示】
【発明が解決しようとする課題】
【０００３】
ＨＤＤを搭載している画像形成装置においては、ＨＤＤがアクセス中であるにも関わらず、ユーザーは、ＨＤＤアクセス中であることに気づかず、もしくは気づいていても、画像形成装置本体の主電源スイッチが遮断されてしまうことにより、以下の重大な問題に繋がってしまう。
（１）画像形成装置のシステムがＨＤＤに対してアクセス中の場合に、画像形成装置本体の主電源スイッチが遮断されてしまうと、ＨＤＤドライブ内部のメカ機構部であるヘッドが正常に退避されず、メディア上のデータ記録面にヘッドが位置してしまい、記録面に書き込まれているデータの消失やセクタの損傷、ヘッドの損傷等のダメージが生じ、最悪の場合ＨＤＤのメカ機構部のヘッド・メディア破損（破壊）、データ消失等に繋がってしまう。
（２）画像形成装置のシステムが、ＨＤＤにアクセスしてシステムのデータ処理を行っている場合、特に、システムでデータ処理された重要なデータをＨＤＤにデータ書き込みを行っている時に画像形成装置本体の主電源スイッチが遮断されてしまうと、システムとしての重要な書き込みデータの書き込み処理がＨＤＤに対して正常に行われない、もしくは正常に完了できないという不具合が発生し、且つ装置システムとしても不具合が発生してしまう可能性もある。
上記不具合問題を解決するために、本発明では、ＨＤＤがディスクアクセス中でも、ユーザー側がＨＤＤがアクセス中であることを特に意識せずに、装置本体の主電源の遮断を行うことができ、また、ＨＤＤに対するアクセス処理が正常に終了した後に装置本体の主電源の遮断操作ができて、ＨＤＤドライブ自身の破損を回避することができる画像形成装置を提供することを目的とする。
【課題を解決するための手段】
【０００４】
上記目的を達成するために、請求項１記載の発明は、装置本体の主電源スイッチと、ＨＤＤへの供給電源をシャットダウンさせる際に押下する専用のシャットダウンスイッチと、シャットダウンスイッチが押下されたことにより出力されるシャットダウン検出信号とＨＤＤの供給電源状態を検出するＨＤＤ電源検出手段と、ＨＤＤ電源検出手段により出力されるＨＤＤ電源遮断検知信号とシャットダウンスイッチが押下されたことにより出力されるシャットダウン検出信号を検出し、ＨＤＤ電源遮断検知信号とシャットダウン検出信号に基づいて装置本体の主電源の遮断制御を行う主電源遮断制御手段と、主電源遮断制御手段により出力される主電源制御信号を検出し主電源検出信号に基づいて主電源スイッチのロック／ロック解除の制御を行う主電源スイッチロック／ロック解除制御手段と、システム全体を制御するシステム制御手段とを備えた画像形成装置を最も主要な特徴とする。
請求項２記載の発明は、シャットダウンスイッチが押下されたことをシャットダウン検出信号に基づきシステム制御手段が検知すると、システム制御手段はＨＤＤに対してステータス状態の確認を行い、ＨＤＤの状態がドライブレディ状態である場合もしくはディスクアクセス処理完了通知を検知した場合、ＨＤＤへの供給電源を遮断し、ＨＤＤが電源遮断されたことを示すＨＤＤ電源遮断検知信号が主電源遮断制御手段に出力される請求項１記載の画像形成装置を主要な特徴とする。
請求項３記載の発明は、シャットダウンスイッチが押下されない場合は、システム制御手段はシャットダウン検出信号レベルに基づき、ＨＤＤのステータス状態確認やＨＤＤ供給電源の遮断制御を停止する請求項１、２記載の画像形成装置を主要な特徴とする。
【０００５】
請求項４記載の発明は、主電源遮断制御手段が、シャットダウンスイッチが押下されたことにより出力されるシャットダウン検出信号とＨＤＤ電源が遮断されＨＤＤ電源検出手段により出力されるＨＤＤ電源遮断検知信号をＡＮＤ条件で検出した場合、主電源遮断制御手段により出力される主電源制御信号により、主電源スイッチロック／アンロック制御手段に対して主電源スイッチのロック解除を要求し、主電源制御手段による制御により主電源スイッチの遮断を可能とした請求項１記載の画像形成装置を主要な特徴とする。
請求項５記載の発明は、主電源遮断制御手段が、シャットダウンスイッチが押下されたことにより出力されるシャットダウン検出信号とＨＤＤ電源が遮断されＨＤＤ電源検出手段により出力されるＨＤＤ電源遮断検知信号をＡＮＤ条件で検出しない場合は、主電源遮断制御手段から主電源制御信号は出力されず、主電源スイッチロック／ロック解除制御手段に対して主電源スイッチのロックを要求し、主電源制御手段による制御により主電源スイッチの遮断を禁止する請求項１、４記載の画像形成装置を主要な特徴とする。
請求項６記載の発明は、システム制御手段が複数台のＨＤＤが搭載されている事を検出した場合でしかもシャットダウンＳＷが押下されたことを検知した場合、システム制御手段は、各々のＨＤＤの状態を検出し、少なくとも１つのＨＤＤにおいてドライブレディ状態を検出後、該当するＨＤＤに対して順次、該当するＨＤＤへの供給電源を遮断させ、ＨＤＤ電源検出手段が各々のＨＤＤの電源遮断をＡＮＤ条件で電源遮断検出した場合に、全ＨＤＤが電源遮断されたことを示すＨＤＤ電源遮断検知信号を主電源遮断制御手段に出力することを特徴とする請求項１に記載の画像形成装置を主要な特徴とする。
【０００６】
請求項７記載の発明は、システム制御手段が複数台のＨＤＤが搭載されていることを検出した場合でしかもシャットダウンＳＷが押下されたことを検知した場合、システム制御手段は、各々のＨＤＤの状態を検出し、少なくとも１つのＨＤＤがディスクアクセス中の場合、ディスクアクセス処理完了通知後、該当するＨＤＤに対して順次、該当するＨＤＤへの供給電源を遮断させ、ＨＤＤ電源検出手段が各々のＨＤＤの電源遮断をＡＮＤ条件で電源遮断検出した場合に、全ＨＤＤが電源遮断されたことを示すＨＤＤ電源遮断検知信号を主電源遮断制御手段に出力することを特徴とする請求項１に記載の画像形成装置を主要な特徴とする。
請求項８記載の発明は、システム制御手段が複数台のＨＤＤが搭載されていることを検出した場合でしかもシャットダウンＳＷが押下されない場合や、シャットダウンＳＷが押下されたことをシステム制御手段が検知しても、複数のＨＤＤのうち少なくとも１台のＨＤＤの状態が、ドライブレディ状態でない場合、もしくはディスクアクセス中の場合システム制御手段が該当するＨＤＤからのディスクアクセス処理完了通知を検出するまで、システム制御手段は少なくとも１つの該当するＨＤＤへの供給電源を遮断させず電源供給を行い、ＨＤＤ電源検出手段は少なくとも１つの該当するＨＤＤの電源供給状態を検出し、ＨＤＤ電源遮断検知信号は主電源遮断制御手段に出力されないことを特徴とする請求項６または７に記載の画像形成装置を主要な特徴とする。
【発明の効果】
【０００７】
請求項１記載の発明によれば、画像形成装置本体の主電源用スイッチの他に、ＨＤＤへの供給電源をシャットダウンさせる専用のシャットダウンスイッチを設け、まずはシャットダウンスイッチを押下しないと、装置本体の主電源を遮断出来ない制御手段構成とし、ＨＤＤに対するアクセス処理が正常に終了した後に装置本体の主電源の遮断操作が行える様な制御手段構成とすることで、ＨＤＤのメカ機構部のヘッド・メディア破損（破壊）、データ消失等の不具合が解消され、またＨＤＤがアクセス中に主電源が遮断される不具合も解消され、ＨＤＤの品質向上、装置システムの動作信頼性の向上が図れる。
請求項２記載の発明によれば、シャットダウンスイッチが押下されてから、ＨＤＤ電源検出手段によりＨＤＤ供給電源が遮断及び遮断検出されるまでの装置システム側の制御フロー条件を明確にした手段構成とすることで、請求項１の動作に基づく作用効果が得られ、ＨＤＤの品質向上、装置システムの動作信頼性の向上が図れる。
請求項３記載の発明によれば、ＨＤＤ電源検出手段によりＨＤＤ供給電源の遮断検出がされない制御フロー条件を明確にした手段構成とすることで、請求項１の動作に基づく作用効果が得られ、ＨＤＤの品質向上、装置システムの動作信頼性の向上が図れる。
請求項４記載の発明によれば、主電源スイッチロック／ロック解除制御手段による主電源スイッチのロック解除（押下可能状態）の制御フロー条件を明確にした手段構成とすることで、請求項１の動作に基づく作用効果が得られ、ＨＤＤの品質向上、装置システムの動作信頼性の向上が図れる。
請求項５記載の発明によれば、主電源スイッチロック／ロック解除制御手段による主電源スイッチのロック（押下不可能状態）の制御フロー条件を明確にする手段構成とすることで、請求項１の動作に基づく作用効果が得られ、ＨＤＤの品質向上、装置システムの動作信頼性の向上が図れる。
【０００８】
請求項６記載の発明によれば、シャットダウンＳＷが押下されてから、ＨＤＤ電源検出手段によりＨＤＤ供給電源が遮断及び遮断検出されるまでの装置システム側の制御フローにおいて、装置システムに複数台のＨＤＤが搭載された場合の制御フロー条件を明確にする手段構成とすることで、１個のＨＤＤだけでなく、複数台のＨＤＤがアクセス中に主電源が遮断され、複数台のＨＤＤが同時にメカ機構部のヘッド・メディア破損（破壊）、データ消失等の不具合が解消され、ＨＤＤの品質・信頼性の向上、装置システムの動作信頼性の向上が図れる。
請求項７記載の発明によれば、装置システムに複数台のＨＤＤが搭載されている場合において、シャットダウンＳＷが押下されたことを装置システムが検知した場合、装置システムは、各々のＨＤＤの状態を検出し、少なくとも１つのＨＤＤがディスクアクセス中の場合、ディスクアクセス処理が完了したＨＤＤから順次、該当ＨＤＤへの供給電源を遮断させることが可能な制御手段とし、ＨＤＤ電源検出手段が各々のＨＤＤの電源遮断をＡＮＤ条件で電源遮断検出した場合に、全ＨＤＤが電源遮断されたことを示すＨＤＤ電源遮断検知信号が主電源遮断制御手段に出力される制御手段とすることで、請求項６の場合と同様の作用効果が得られ、複数台のＨＤＤの品質向上、装置システムの動作信頼性の向上が図れる。
請求項８記載の発明によれば、装置システムに複数台のＨＤＤが搭載されている場合において、シャットダウンＳＷが押下されない場合や、シャットダウンＳＷが押下された場合、ＨＤＤ電源検出手段によりＨＤＤ電源遮断されず、各々のＨＤＤへの電源供給の制御フロー条件を明確にするために、複数のＨＤＤのうち少なくとも１台のＨＤＤの状態が、ドライブレディ状態でない場合、もしくはディスクアクセス中の場合、装置システムが該ＨＤＤからのディスクアクセス処理完了通知を検出するまで、装置システムは該当ＨＤＤへの供給電源を遮断させず電源供給を行い、ＨＤＤ電源検出手段は少なくとも１つの該当ＨＤＤの電源供給状態を検出し、ＨＤＤ電源遮断検知信号は主電源遮断制御手段に出力されない制御手段とすることで、請求項６の場合と同様の作用効果が得られ、複数台のＨＤＤの品質向上、装置システムの動作信頼性の向上が図れる。
【発明を実施するための最良の形態】
【０００９】
以下、本発明の実施の形態を図面に従って説明する。
図１は本発明の実施の形態に係る画像形成装置の機能ブロック図である。本画像形成装置１はホスト等の外部装置２とセントロ、ネットワーク等のＩ／Ｆ接続ケーブル３で接続されている。
本画像形成装置１において、データ送受信手段１１は、外部装置２に対してＩ／Ｆ接続ケーブル３を介して印刷データもしくは制御データを送受信し、また一時的なデータ格納が可能である。ＣＰＵ（マイクロプロセッサ）１２は、システム全体を制御するシステム制御手段として機能する。
メモリ１３は、外部装置２からＩ／Ｆ接続ケーブル３を介して送信された印刷データの画像イメージデータを形成したり、ＣＰＵ１２がデータを処理する際に一時的にデータを格納したり、画像形成装置１の種々の設定情報が格納されている。ＨＤＤ１４は、メモリ１３によって形成された画像イメージデータを格納したり、必要に応じて格納データの読み出しが可能である。
ＨＤＤ電源検出手段１５は、ＨＤＤ１４に供給されている供給電源状態を常時監視・検出可能である。シャットダウンスイッチ１６は、ＨＤＤ１４への供給電源をシャットダウンさせる際に押下する専用のスイッチである。主電源遮断制御手段１７は、ＨＤＤ電源検出手段１５より出力されるＨＤＤ電源遮断信号と、シャットダウンスイッチ１６が押下されたことにより出力されるシャットダウン検出信号を検出し、双方の検出信号に基づいて装置本体の主電源の遮断制御を行う。
主電源スイッチロック／ロック解除制御手段１８は、主電源遮断制御手段１７から出力される主電源制御信号に基づいて主電源スイッチ１９のロック／ロック解除の制御を行う。主電源スイッチ１９は、装置本体の主電源をオン、オフする。画像形成手段２０は、メモリ１３により形成された画像イメージデータもしくは、ＨＤＤ１４に一時的に格納されている画像イメージデータを読み出して、記録紙等に印字する。
【００１０】
図２は本発明の第１の制御例のフローチャートである。装置本体の主電源押下により装置本体の電源投入後、ＣＰＵ１２はＨＤＤ１４の搭載検出を行い、ＨＤＤ１４の搭載／未搭載の検出後、ＣＰＵ１２は装置本体システムの初期化を行い、待機状態もしくはＨＤＤ１４に対するアクセス処理動作や印刷命令に応じた印刷動作を繰り返す（Ｓ１）。
ＨＤＤ１４がドライブ状態に関わらず、ユーザーが装置本体の主電源を遮断させる前には、まずはシャットダウンスイッチ１６を押下する必要がある。該スイッチ１６が押下されるとシャットダウン検出信号がＣＰＵ１２及び主電源遮断手段１７に出力される（Ｓ２）。該検出信号をＣＰＵ１２が検出すると、ＣＰＵ１２は該信号検出に基づいてＨＤＤ１４への供給電源を遮断する（Ｓ３）。
ＨＤＤ電源検出手段１５はＨＤＤ１４への供給電源状態を常時監視しており、該手段１５がＨＤＤ１４の供給電源が遮断されたことを検出すると、ＨＤＤ電源検出手段１５から主電源遮断制御手段１７にＨＤＤ電源遮断検知信号が出力される（Ｓ４）。主電源遮断制御手段１７は、シャットダウン検出信号に基づくシャットダウンの検出とＨＤＤ電源遮断検知信号に基づくＨＤＤ電源の遮断検出により（Ｓ５）、主電源スイッチロック／ロック解除制御手段１８に対して主電源制御信号を出力する（Ｓ６）。
主電源スイッチロック／ロック解除制御手段１８は、主電源検出信号に基づき主電源スイッチのロック解除要求を検出すると（Ｓ７）、主電源スイッチをロック状態（主電源スイッチを遮断できない状態）から、ロック解除状態（主電源スイッチを遮断できる状態）へ制御し、主電源スイッチの遮断操作が可能となる（Ｓ８）。
この実施形態では、画像形成装置本体の主電源用スイッチの他に、ＨＤＤへの供給電源をシャットダウンさせる専用のシャットダウンスイッチ１６を設け、まずはシャットダウンスイッチ１６を押下しないと、装置本体の主電源を遮断出来ない制御手段構成とし、ＨＤＤ１４に対するアクセス処理が正常に終了した後に装置本体の主電源の遮断操作が行える様な制御手段構成とした。このため、ＨＤＤのメカ機構部のヘッド・メディア破損（破壊）、データ消失等の不具合が解消され、またＨＤＤがアクセス中に主電源が遮断される不具合も解消され、ＨＤＤの品質向上、装置システムの動作信頼性の向上が図れる。
【００１１】
図３は本発明の第２の制御例のフローチャートである。シャットダウンスイッチ１６が押下されたことをシャットダウン検出信号に基づきＣＰＵ１２が検知すると（Ｓ１）、ＣＰＵ１２はＨＤＤ１４に対してステータス状態の確認を行い（Ｓ２）、ＨＤＤ１４の状態が、ドライブレディ状態であることを検出すると（Ｓ３でＹ）、ＣＰＵ１２はＨＤＤ１４への供給電源を遮断する（Ｓ５）。
ＨＤＤ１４の状態が、ＣＰＵ１２がＨＤＤ１４に対してディスクアクセスコマンド発行中の場合は、ＣＰＵ１２はＨＤＤ１４からのディスクアクセス（コマンド）の処理完了通知の待ち状態となり、処理完了通知を検知すると（Ｓ４でＹ）、ＣＰＵ１２はＨＤＤ１４への供給電源を遮断する（Ｓ５）。
第１の制御例動作に基づきＨＤＤ電源検出手段１５によりＨＤＤ供給電源の遮断を検出後、ＨＤＤ電源検出手段１５から主電源遮断制御手段１７に対してＨＤＤの電源遮断されたことを示すＨＤＤ電源遮断検知信号が出力され（Ｓ６）、以下、第１の制御例に基づく動作を行う（Ｓ７）。
この実施形態によれば、シャットダウンスイッチ１６が押下されてから、ＨＤＤ電源検出手段１５によりＨＤＤ供給電源が遮断及び遮断検出されるまでの装置システム側の制御フロー条件を明確にした手段構成とすることで、第１の制御例にて示した動作に基づく作用効果が得られ、ＨＤＤの品質向上、装置システムの動作信頼性の向上が図れる。
【００１２】
図４は本発明の第３の制御例のフローチャートである。シャットダウンスイッチ１６が押下されない場合は、ＣＰＵ１２はシャットダウン検出信号レベルに基づき、第１、第２の制御例の動作のＨＤＤ１２のステータス状態確認やＨＤＤ供給電源の遮断制御は行わない。また、シャットダウンスイッチ１６が押下されたことをシャットダウン検出信号に基づきＣＰＵ１２が検知すると（Ｓ１、Ｓ２でＹ）、ＣＰＵ１２は、第２の制御例の動作に基づき、ＨＤＤ１４に対してステータス状態の確認を行う（Ｓ３）。
ＨＤＤ１４の状態がドライブレディ状態でない（ビジー中の）場合を検出したり（Ｓ４でＮ）、もしくはＣＰＵ１２がＨＤＤ１４に対してディスクアクセスコマンド発行中を検出した場合は（Ｓ５でＮ）、ＣＰＵ１２は、ＨＤＤ１４がドライブレディ状態になるまで、もしくはＨＤＤ１４からのディスクアクセス（コマンド）の処理完了通知を検出するまで待ち状態となり、ＣＰＵ１２はＨＤＤ１４への供給電源を遮断させず引き続きＨＤＤ１４に対して電源供給を行う（Ｓ６）。ＨＤＤ電源検出手段１５はＨＤＤ供給電源が供給されていることを検出し、ＨＤＤ電源検出手段１５から主電源遮断制御手段１７に対して、ＨＤＤ電源遮断検知信号は出力されない（Ｓ７）。
この実施形態によれば、ＨＤＤ電源検出手段によりＨＤＤ供給電源の遮断検出がされない制御フロー条件を明確にした手段構成とすることで、第１の制御例の動作に基づく作用効果が得られ、ＨＤＤの品質向上、装置システムの動作信頼性の向上が図れる。
【００１３】
図５は本発明の第４の制御例のフローチャートである。シャットダウンスイッチ１６が押下されると、シャットダウン検出信号がＣＰＵ１２及び主電源遮断制御手段１７に出力される（Ｓ１）。シャットダウン検出信号に基づきシャットダウンされたことをＣＰＵ１２が検知すると、第２の制御例の動作に基づき、ＨＤＤ電源検出手段１５から主電源遮断制御手段１７に対してＨＤＤ１４が電源遮断されたことを示すＨＤＤ電源遮断検知信号が出力される（Ｓ２）。
主電源遮断制御手段１７が、シャットダウン検出信号とＨＤＤ電源遮断検知信号をＡＮＤ条件で検出した場合に限って（Ｓ３でＹ）、主電源遮断制御手段１７から主電源スイッチロック／ロック解除制御手段１８に対して主電源制御信号が出力される（Ｓ４）。
主電源スイッチロック／ロック解除制御手段１８は、主電源検出信号に基づき主電源スイッチのロック解除要求を検出すると（Ｓ５）、第１の制御例の動作に基づき、主電源スイッチ１９をロック状態（主電源スイッチを遮断できない状態）から、ロック解除状態（主電源スイッチを遮断できる）状態へ制御し（Ｓ６）、主電源スイッチ１９の遮断操作が可能となる（Ｓ７）。
この実施形態によれば、主電源スイッチロック／ロック解除制御手段による主電源スイッチのロック解除（押下可能状態）の制御フロー条件を明確にした手段構成とすることで、第１の制御例の動作に基づく作用効果が得られ、ＨＤＤの品質向上、装置システムの動作信頼性の向上が図れる。
【００１４】
図６は本発明の第５の制御例のフローチャートである。第４の制御例の動作において、主電源遮断制御手段１７が、シャットダウン検出信号とＨＤＤ電源遮断検知信号をＡＮＤ条件で検出できない場合（Ｓ１、Ｓ２、Ｓ３でＮ）、主電源遮断制御手段１７から主電源スイッチロック／ロック解除制御手段１８に対して、主電源制御信号は出力されない（Ｓ４）。
主電源スイッチロック／ロック解除制御手段１８は、主電源制御信号レベルに基づき主電源スイッチ１９のロックの要求を検出し（Ｓ５）、主電源スイッチ１９のロック状態（主電源スイッチを遮断できない状態）を継続させ（Ｓ６）、主電源スイッチ１９の遮断操作ができない様に制御する（Ｓ７）。
この実施形態によれば、主電源スイッチロック／ロック解除制御手段による主電源スイッチのロック（押下不可能状態）の制御フロー条件を明確にする手段構成とすることで、第１の制御例の動作に基づく作用効果が得られ、ＨＤＤの品質向上、装置システムの動作信頼性の向上が図れる。
【００１５】
これまで述べてきた発明は、ＨＤＤ１４がディスクアクセス中でも、ユーザー側がＨＤＤ１４がアクセス中であることを特に意識せずに、装置本体の主電源の遮断が行え、また、ＨＤＤ１４に対するアクセス処理が正常に終了した後に装置本体の主電源の遮断操作ができて、ＨＤＤドライブ自身の破損等の問題に繋がらない様な制御とするために、画像形成装置１本体の主電源用ＳＷ１９の他に、ＨＤＤ１４への供給電源をシャットダウンさせる専用のシャットダウンＳＷ１６を設け、まずはシャットダウンＳＷ１６を押下しないと、装置本体の主電源を遮断出来ない制御手段構成とすることで、ＨＤＤ１４がアクセス中に主電源が遮断される不具合も解消され、ＨＤＤ１４の品質向上、装置システムの動作信頼性の向上が図れる手段構成としている。また、シャットダウンＳＷ１６が押下されてから、ＨＤＤ電源検出手段１５によりＨＤＤ供給電源が遮断及び遮断検出されるまでの装置システム側の制御フロー条件を明確にしたことで、第１の制御例の動作に基づく作用効果が得られ、ＨＤＤ１４の品質向上、装置システムの動作信頼性の向上を図ることができる。
しかし、上述した発明は、装置システムにＨＤＤ１４が１台のみ搭載された場合の手段構成であり、最近のＨＤＤ技術では、ＨＤＤ１４に格納されているデータ信頼性の向上や、ＨＤＤ寿命の向上を図るために、ＨＤＤ１４を複数台搭載するＲＡＩＤ技術により、データの二重化により、万一１台のＨＤＤ１４が壊れても、他の搭載ＨＤＤ１４でデータバックアップ可能なＨＤＤ技術に移行してきている。すなわちＨＤＤ１４が複数台の場合についても対処する必要がある。
【００１６】
図７は、本発明の第６の制御例のフローチャートである。図７において、画像形成装置１本体の主電源押下により、装置本体の電源投入後、ＣＰＵ１２は画像形成装置１のＨＤＤ１４の搭載検知を行い、ＨＤＤ１４の搭載または複数台数の搭載／未搭載の検出後、ＣＰＵ１２は装置本体システムの初期化を行い、待機状態もしくはＨＤＤ１４に対するアクセス処理動作や印刷命令に応じた印刷動作を繰り返す（Ｓ１）。ＨＤＤ１４がドライブ状態に関わらず、ユーザーが装置本体の主電源を遮断させる前には、まずはシャットダウンＳＷ１６を押下する必要があり、これを監視する（Ｓ２）。該ＳＷ１６が押下されるとシャットダウン検出信号がＣＰＵ１２及び主電源遮断手段１７に出力される（Ｓ３）。シャットダウンＳＷ１６が押下されたことをシャットダウン検出信号に基づきＣＰＵ１２が検知すると（Ｓ４）、装置システムに複数台のＨＤＤ１４が搭載されていることをＣＰＵ１２が検出している場合、ＣＰＵ１２は、各々のＨＤＤ１４に対してステータス状態の確認を行う（Ｓ５）。任意のある１つのＨＤＤ１４の状態が、ドライブレディ状態であることを検出すると（Ｓ６）、ＣＰＵ１２はドライブレディ状態の該当するＨＤＤ１４に対して、該当するＨＤＤ１４への供給電源を遮断させ（Ｓ７）、以降、他のＨＤＤ１４のドライブレディ状態をＣＰＵ１２が検出する毎に、順次、該当ＨＤＤ１４への供給電源を遮断制御する。ＨＤＤ電源検出手段１５は、各々の複数台のＨＤＤ１４への供給電源状態を常時監視しており、ＨＤＤ電源検出手段１５が、各々のＨＤＤ１４の電源遮断をＡＮＤ条件で電源遮断検出した場合（Ｓ８）、電源検出手段１５から主電源遮断制御手段１７に対して全ＨＤＤ１４が電源遮断されたことを示すＨＤＤ電源遮断検知信号が出力され（Ｓ９）、図２に示すステップＳ５以後の動作により処理される（Ｓ１０）。すなわち、主電源遮断制御手段１７は、シャットダウン検出信号に基づくシャットダウンの検出とＨＤＤ電源遮断検知信号に基づくＨＤＤ電源の遮断検出を検出すると、主電源遮断制御手段１７は主電源ＳＷロック／ロック解除制御手段１８に対して主電源制御信号を出力する。主電源ＳＷロック／ロック解除制御手段１８は、主電源検出信号に基づき、主電源ＳＷ１９のロック解除要求を検出すると、主電源ＳＷ１９をロック状態（主電源ＳＷ１９を遮断できない状態）から、ロック解除状態（主電源ＳＷ１９を遮断できる状態）へ制御し、主電源ＳＷ１９の遮断操作が可能となる。
【００１７】
図８は第７制御例のフローチャートである。図８において、複数のＨＤＤ１４の少なくとも１個がアクセス処理中の時（Ｓ１）、シャットダウンＳＷ１６が押下されたかどうかを監視し（Ｓ２）、押し下げられたことをシャットダウン検出信号に基づきＣＰＵ１２が検知すると（Ｓ３、Ｓ４）、装置システムに複数台のＨＤＤ１４が搭載されていることをＣＰＵ１２が検出している場合、ＣＰＵ１２が、少なくとも１つのＨＤＤ１４に対してディスクアクセスコマンド発行中の場合、ＣＰＵ１２は、該当するディスクからのディスクアクセス処理完了通知の待ち状態となり（Ｓ５）、該当するＨＤＤ１４からの処理完了通知を検知すると（Ｓ６）、ＣＰＵ１２は該当ＨＤＤ１４への供給電源を遮断させ、以降、他のＨＤＤ１４からの処理完了通知をＣＰＵ１２が検知する毎に、順次、該当ＨＤＤ１４への供給電源を遮断制御する（Ｓ７）。ＨＤＤ電源検出手段１５は、各々の複数台のＨＤＤ１４への供給電源状態を常時監視しており（Ｓ８）、ＨＤＤ電源検出手段１５が、各々のＨＤＤ１４の電源遮断をＡＮＤ条件で電源遮断検出した場合、電源検出手段１５から主電源遮断制御手段１７に対して全ＨＤＤが電源遮断されたことを示すＨＤＤ電源遮断検知信号が出力され（Ｓ９）、図２に示すステップＳ５以後の動作により処理される（Ｓ１０）。すなわち、主電源ＳＷ１９をロック状態（主電源ＳＷを遮断できない状態）から、ロック解除状態（主電源ＳＷ１９を遮断できる状態）へ制御し、主電源ＳＷ１９の遮断操作が可能となる。
【００１８】
図９は、第８制御例のフローチャートである。図９において、シャットダウンＳＷ１６が押下されない場合は、ＣＰＵ１２はシャットダウン検出信号レベルに基づき、ＨＤＤ１４のステータス状態確認やＨＤＤ供給電源の遮断制御は行われない。また、シャットダウンＳＷが押下されたことをシャットダウン検出信号に基づきＣＰＵ１２が検知すると（Ｓ１，Ｓ２）、装置システムに複数台のＨＤＤ１４が搭載されていることをＣＰＵ１２が検出している場合ＣＰＵ１２は、各ＨＤＤ１４の状態を確認する（Ｓ３）。ＣＰＵ１２は、複数のＨＤＤ１４のうち少なくとも１台のＨＤＤ１４の状態が、（１）ドライブレディ状態でない（ビジー中の）場合を検出した場合、もしくは、（２）ＣＰＵ１２が該ＨＤＤ１４に対してディスクアクセスコマンドを発行している場合（Ｓ４）は、該ＨＤＤ１４からのディスクアクセス処理完了通知を検出するまで待ち状態となり（Ｓ５）、ＣＰＵ１２は該当ＨＤＤ１４への供給電源を遮断させず、引き続き該当ＨＤＤ１４に対して電源供給を行い（Ｓ６）、ＨＤＤ電源検出手段は少なくとも１つの該ＨＤＤの電源供給状態を検出し、ＨＤＤ電源検出手段から主電源遮断制御手段に対して、ＨＤＤ電源遮断検知信号は出力されない（Ｓ７）。ステップＳ４にてレディ状態でないときアクセス処理中でないときの該当するＨＤＤ１４の存在にて、あるいはステップＳ５にて待ち状態にないとき該当するＨＤＤ１４への電源遮断となる（Ｓ８）。この後は、図２のステップに移行する（Ｓ９）。
【図面の簡単な説明】
【００１９】
【図１】本発明の実施の形態に係る画像形成装置の機能ブロック図である。
【図２】本発明の第１の制御例のフローチャートである。
【図３】本発明の第２の制御例のフローチャートである。
【図４】本発明の第３の制御例のフローチャートである。
【図５】本発明の第４の制御例のフローチャートである。
【図６】本発明の第５の制御例のフローチャートである。
【図７】本発明の第６の制御例のフローチャートである。
【図８】本発明の第７の制御例のフローチャートである。
【図９】本発明の第８の制御例のフローチャートである。
【符号の説明】
【００２０】
１  画像形成装置
２  外部装置
１１  データ送受信手段
１２  ＣＰＵ（システム制御手段）
１３  メモリ
１４  ＨＤＤ
１５  ＨＤＤ電源検出手段
１６  シャットダウンスイッチ
１７  主電源遮断制御手段
１８  主電源スイッチロック／ロック解除制御手段
１９  主電源スイッチ
２０  画像形成手段
【図１】
2004276588.tif 000003
【図２】
2004276588.tif 000004
【図３】
2004276588.tif 000005
【図４】
2004276588.tif 000006
【図５】
2004276588.tif 000007
【図６】
2004276588.tif 000008
【図７】
2004276588.tif 000009
【図８】
2004276588.tif 000010
【図９】
2004276588.tif 000011